(57)【要約】【課題】液体がアンテナパターンやＩＣチップに到達することを抑止する。【解決手段】ＲＦＩＤタグ１０、基材１２と、アンテナパターン１４と、ＩＣチップ１６と、第一粘着層２０と、第一ラミネートフィルム２２と、第一封止部３２とを備える。基材１２は、シート状に形成されており、プラスチック製である。アンテナパターン１４は、基材１２に形成されている。ＩＣチップ１６は、基材１２に搭載されると共に、アンテナパターン１４と接続されている。第一粘着層２０は、基材１２、アンテナパターン１４、及び、ＩＣチップ１６を覆っている。第一ラミネートフィルム２２は、第一粘着層２０を介して基材１２に接着されており、プラスチック製である。第一封止部３２は、第一ラミネートフィルム２２の一部が基材１２に溶着されて形成され、平面視でアンテナパターン１４及びＩＣチップ１６を囲う環状である。【選択図】図１
2018205867.tif 000002
【特許請求の範囲】
【請求項１】
シート状に形成されたプラスチック製の基材と、
前記基材に形成されたアンテナパターンと、
前記基材に搭載されると共に、前記アンテナパターンと接続されたＩＣチップと、
前記基材、前記アンテナパターン、及び、前記ＩＣチップを覆う粘着層と、
前記粘着層を介して前記基材に接着されたプラスチック製のラミネートフィルムと、
前記ラミネートフィルムの一部が前記基材に溶着されて形成され、平面視で前記アンテナパターン及びＩＣチップを囲う環状の封止部と、
を備えるＲＦＩＤタグ。
【請求項２】
前記基材、前記アンテナパターン、前記ＩＣチップ、前記粘着層、前記ラミネートフィルム、前記封止部は、タグ本体を形成し、
前記タグ本体を包囲するゴム被覆材をさらに備える、
請求項１に記載のＲＦＩＤタグ。
【請求項３】
前記封止部は、前記粘着層の外周部に沿って形成されている、
請求項１又は請求項２に記載のＲＦＩＤタグ。
【請求項４】
前記粘着層としての第一粘着層と、
前記ラミネートフィルムとしての第一ラミネートフィルムと、
前記封止部としての第一封止部と、
前記第一粘着層と反対側から前記基材を覆う第二粘着層と、
前記第二粘着層を介して前記基材に接着されたプラスチック製の第二ラミネートフィルムと、
前記第二ラミネートフィルムの一部が前記基材に溶着されて形成された環状の第二封止部と、
を備える、
請求項１〜請求項３のいずれか一項に記載のＲＦＩＤタグ。
【請求項５】
前記第一封止部及び前記第二封止部は、平面視で互いに重複する位置に形成されている、
請求項４に記載のＲＦＩＤタグ。
【請求項６】
前記第一封止部は、平面視で前記第二封止部の外側又は内側に形成されている、
請求項４に記載のＲＦＩＤタグ。
【請求項７】
前記粘着層としての内側粘着層と、
前記ラミネートフィルムとしての内側ラミネートフィルムと、
前記封止部としての内側封止部と、
前記内側ラミネートフィルム及び前記基材を覆う外側粘着層と、
前記外側粘着層を介して前記内側ラミネートフィルム及び前記基材に接着されたプラスチック製の外側ラミネートフィルムと、
前記外側ラミネートフィルムの一部が前記内側ラミネートフィルムに溶着されて形成され、平面視で前記内側粘着層及び前記内側ラミネートフィルムを囲う環状の外側封止部と、
を備える、
請求項１〜請求項６のいずれか一項に記載のＲＦＩＤタグ。
【発明の詳細な説明】
【技術分野】
【０００１】
本願の開示する技術は、ＲＦＩＤタグに関する。
【背景技術】
【０００２】
近年、リーダライタ等の外部機器との間で、電波によって非接触で情報のやり取りを行うＲＦＩＤ（Radio Frequency Identification）タグが使用され始めている。この種のＲＦＩＤタグとしては、次のようなものがある。すなわち、シート状の基材と、基材に形成されたアンテナパターンと、基材に搭載されたＩＣ（Integrated Circuit）チップと、粘着層を介して基材に接着され、基材、アンテナパターン、及び、ＩＣチップを覆うラミネートフィルムとを備えたＲＦＩＤタグである。
【先行技術文献】
【特許文献】
【０００３】
【特許文献１】特開２０１１−２２１５９９号公報
【特許文献２】特開２００７−１４８６７２号公報
【特許文献３】特開２０１０−８６３６１号公報
【特許文献４】特開２００７−９４６３４号公報
【特許文献５】特開平３−５２２５５号公報
【特許文献６】特開２００５−３１６７１８号公報
【発明の概要】
【発明が解決しようとする課題】
【０００４】
しかしながら、上記ＲＦＩＤタグでは、例えば水や薬品等の液体がかかった場合に液体が粘着層の内側へ浸透し、液体がアンテナパターンやＩＣチップに到達する虞がある。また、ＩＣチップを覆うラミネートフィルム、カバー部材、熱可塑性樹脂シートなどの周辺部が溶着されたＲＦＩＤタグでは、溶着した箇所が破壊されると、そこから液体が浸透し、液体がアンテナパターンやＩＣチップに到達する虞がある。そして、液体がアンテナパターンやＩＣチップに到達すると、アンテナパターンが腐食したり、ＩＣチップが故障したりする虞がある。
【０００５】
そこで、本願の開示する技術は、一つの側面として、液体がアンテナパターンやＩＣチップに到達することを抑止できるＲＦＩＤタグを提供することを目的とする。
【課題を解決するための手段】
【０００６】
上記目的を達成するために、本願の開示する技術に係るＲＦＩＤタグは、基材と、アンテナパターンと、ＩＣチップと、粘着層と、ラミネートフィルムと、封止部とを備える。基材は、シート状に形成されており、プラスチック製である。アンテナパターンは、基材に形成されている。ＩＣチップは、基材に搭載されると共に、アンテナパターンと接続されている。粘着層は、基材、アンテナパターン、及び、ＩＣチップを覆っている。ラミネートフィルムは、粘着層を介して基材に接着されており、プラスチック製である。封止部は、ラミネートフィルムの一部が基材に溶着されて形成され、平面視でアンテナパターン及びＩＣチップを囲う環状である。
【発明の効果】
【０００７】
本願の開示する技術に係るＲＦＩＤタグによれば、液体がアンテナやＩＣチップに到達することを抑止することができる。
【図面の簡単な説明】
【０００８】
【図１】本実施形態に係るＲＦＩＤタグの二面図（平面図及び側面断面図）である。
【図２】本実施形態に係るＲＦＩＤタグの第一変形例を示す二面図である。
【図３】本実施形態に係るＲＦＩＤタグの第二変形例を示す二面図である。
【図４】本実施形態に係るＲＦＩＤタグの第三変形例を示す二面図である。
【図５】本実施形態に係るＲＦＩＤタグの第四変形例を示す側面断面図である。
【図６】本実施形態に係るＲＦＩＤタグの第五変形例を示す平面図である。
【図７】本実施形態に係るＲＦＩＤタグの第六変形例を示す平面図である。
【図８】本実施形態に係るＲＦＩＤタグの第七変形例を示す平面図である。
【図９】本実施形態に係るＲＦＩＤタグの第八変形例を示す二面図である。
【図１０】本実施形態に係るＲＦＩＤタグの第九変形例を示す平面図である。
【図１１】本実施形態に係るＲＦＩＤタグの第十変形例を示す平面図である。
【発明を実施するための形態】
【０００９】
以下、本願の開示する技術の一実施形態を説明する。
【００１０】
図１に示されるように、本実施形態に係るＲＦＩＤタグ１０は、基材１２、アンテナパターン１４、ＩＣチップ１６、接着材１８、第一粘着層２０、第一ラミネートフィルム２２、第二粘着層２４、第二ラミネートフィルム２６、及び、ゴム被覆材２８を備える。
【００１１】
基材１２は、平面視で長方形のシート状（板状）に形成されている。各図において、矢印Ｘ、矢印Ｙ、矢印Ｚは、基材１２の長さ方向（長手方向）、幅方向（短手方向）、厚み方向をそれぞれ示している。基材１２の幅方向は、基材１２の平面視で基材１２の長さ方向と直交する方向であり、基材１２の厚み方向は、基材１２の側面視で基材１２の長さ方向と直交する方向である。基材１２の長さ方向、幅方向、厚み方向は、ＲＦＩＤタグ１０の長さ方向、幅方向、厚み方向と同じである。
【００１２】
アンテナパターン１４は、基材１２の表面（アンテナパターン１４が形成された一方の面）に形成されており、基材１２の長さ方向に延びている。このアンテナパターン１４は、例えば、銀ペーストやアルミ箔等の金属材料により形成される。本実施形態において、アンテナパターン１４は、一例として、直線状に形成されている。
【００１３】
ＩＣ（Integrated Circuit）チップ１６は、基材１２の表面に搭載されており、接着材１８を介して基材１２の表面に接着されている。このＩＣチップ１６は、基材１２の長さ方向及び幅方向の中央部に配置されており、アンテナパターン１４と接続されている。
【００１４】
第一粘着層２０は、「粘着層」の一例であり、第一ラミネートフィルム２２は、「ラミネートフィルム」の一例である。第一粘着層２０及び第一ラミネートフィルム２２は、基材１２の表側（アンテナパターン１４及びＩＣチップ１６が配置された側）に配置されている。この第一粘着層２０及び第一ラミネートフィルム２２は、基材１２と略同じ形状及び大きさを有している。第一粘着層２０は、基材１２の表面、アンテナパターン１４、及び、ＩＣチップ１６を覆っており、第一ラミネートフィルム２２は、第一粘着層２０を介して基材１２の表面に接着されている。
【００１５】
第二粘着層２４及び第二ラミネートフィルム２６は、基材１２の裏側（アンテナパターン１４及びＩＣチップ１６が配置された側と反対側）に配置されている。この第二粘着層２４及び第二ラミネートフィルム２６も、第一粘着層２０及び第一ラミネートフィルム２２と同様に、基材１２と略同じ形状及び大きさを有している。第二粘着層２４は、第一粘着層２０と反対側から基材１２の裏面（アンテナパターン１４が形成された一方の面と反対側の他方の面）を覆っており、第二ラミネートフィルム２６は、第二粘着層２４を介して基材１２の裏面に接着されている。
【００１６】
上述の基材１２、第一粘着層２０、第一ラミネートフィルム２２、第二粘着層２４、及び、第二ラミネートフィルム２６は、ＲＦＩＤタグ１０の本体であるタグ本体３０（インレット）を形成している。基材１２、第一ラミネートフィルム２２、及び、第二ラミネートフィルム２６は、いずれもプラスチック製であり、可撓性を有している。
【００１７】
この基材１２、第一ラミネートフィルム２２、及び、第二ラミネートフィルム２６には、例えば、ポリエチレンテレフタレート（PET: Polyethylene terephthalate）や、ポリエチレンナフタレート（PEN: Polyethylene Naphthalate）等の材料が適用される。一方、第一粘着層２０及び第二粘着層２４には、例えば、アクリル系やゴム系等の材料が適用される。
【００１８】
ところで、本実施形態に係るＲＦＩＤタグ１０は、例えば水や薬品等の液体を使用する環境で使用されることが想定される。この場合に、例えば水や薬品等の液体がＲＦＩＤタグ１０にかかると、第一粘着層２０及び第二粘着層２４の外周部から液体が第一粘着層２０及び第二粘着層２４の内側へ浸透し、第一粘着層２０及び第二粘着層２４が損傷する虞がある。また、液体が第一粘着層２０の内側へ浸透すると、液体がアンテナパターン１４やＩＣチップ１６に到達し、アンテナパターン１４が腐食したり、ＩＣチップ１６が故障したりする虞がある。
【００１９】
そこで、本実施形態に係るＲＦＩＤタグ１０では、液体が第一粘着層２０及び第二粘着層２４の内側へ浸透することを抑止するために、ＲＦＩＤタグ１０に第一封止部３２及び第二封止部３４が設けられている。
【００２０】
第一封止部３２は、「封止部」の一例である。この第一封止部３２は、第一ラミネートフィルム２２の一部が基材１２に溶着されることにより形成されている。具体的には、第一封止部３２は、第一ラミネートフィルム２２の一部が基材１２側に凸を成すように変形されて形成されている。また、この基材１２側に凸を成す第一封止部３２の先端部は、基材１２の表面に接合されている。この第一封止部３２は、第一粘着層２０の外周部に沿って形成されており、平面視でアンテナパターン１４及びＩＣチップ１６を囲う環状を成している。
【００２１】
第二封止部３４は、第一封止部３２と同様に、第二ラミネートフィルム２６の一部が基材１２に溶着されることにより形成されている。この第二封止部３４も、上述の第一封止部３２と同様に、第二ラミネートフィルム２６の一部が基材１２側に凸を成すように変形されて形成されている。また、この基材１２側に凸を成す第二封止部３４の先端部は、基材１２の裏面に接合されている。この第二封止部３４も、平面視で環状を成している。なお、図１及び以下に説明する各図の平面図では、第一封止部３２及び第二封止部３４が破線により簡略化して図示されている。
【００２２】
本実施形態では、一例として、第一封止部３２及び第二封止部３４は、例えば超音波溶着又は熱溶着等の溶着加工により同時に形成されている。つまり、第一ラミネートフィルム２２及び第二ラミネートフィルム２６の同じ位置を厚さ方向の両側から溶着工具で挟み込むことにより、第一封止部３２及び第二封止部３４は、同時に形成されている。そして、これにより、第一封止部３２及び第二封止部３４は、平面視で互いに重複する位置、すなわち、平面視で同じ形状及び大きさで且つ基材１２の長さ方向及び幅方向の同じ位置に形成されている。
【００２３】
ゴム被覆材２８は、第一封止部３２及び第二封止部３４が形成された後にタグ本体３０と一体化されたものであり、タグ本体３０を包囲している。ゴム被覆材２８を有するＲＦＩＤタグ１０全体は、長尺板状を成している。なお、図１では、ＲＦＩＤタグ１０の内部構造の理解の容易のために、ＲＦＩＤタグ１０が厚み方向に誇張して示されている。
【００２４】
次に、本実施形態の作用及び効果について説明する。
【００２５】
以上詳述したように、本実施形態に係るＲＦＩＤタグ１０によれば、第一ラミネートフィルム２２には、この第一ラミネートフィルム２２の一部が基材１２に溶着されることにより、第一封止部３２が形成されている。この第一封止部３２は、平面視でアンテナパターン１４及びＩＣチップ１６を囲う環状に形成されている。したがって、例えば水や薬品等の液体がＲＦＩＤタグ１０にかかった場合でも、第一粘着層２０の外周部から液体が第一粘着層２０の内側へ浸透することを第一封止部３２により抑止することができる。これにより、第一粘着層２０が損傷することを抑制することができる。また、液体が第一粘着層２０を通じてアンテナパターン１４やＩＣチップ１６に到達することも抑止することができるので、アンテナパターン１４が腐食したり、ＩＣチップ１６が故障したりすることを抑制することができる。
【００２６】
また、第二ラミネートフィルム２６には、第一ラミネートフィルム２２と同様に、第二ラミネートフィルム２６の一部が基材１２に溶着されることにより、第二封止部３４が形成されている。この第二封止部３４も、第一封止部３２と同様に、環状に形成されている。したがって、例えば水や薬品等の液体がＲＦＩＤタグ１０にかかった場合でも、第二粘着層２４の外周部から液体が第二粘着層２４の内側へ浸透することを第二封止部３４により抑止することができる。これにより、第二粘着層２４が損傷することを抑制することができる。
【００２７】
また、第一封止部３２及び第二封止部３４は、平面視で互いに重複する位置に形成されている。このように、第一封止部３２及び第二封止部３４を平面視で互いに重複する位置に形成するには、第一封止部３２及び第二封止部３４を例えば超音波溶着又は熱溶着等の溶着加工により同時に形成すれば良い。したがって、第一封止部３２及び第二封止部３４を溶着加工により同時に形成することにより、加工工数の増加、ひいては、製造コストを抑制することができる。
【００２８】
また、第一封止部３２及び第二封止部３４は、第一粘着層２０及び第二粘着層２４の外周部に沿って形成されている。したがって、例えば水や薬品等の液体がＲＦＩＤタグ１０にかかった場合でも、第一粘着層２０及び第二粘着層２４の外周部に近い側で液体の浸透を阻止することができる。これにより、液体の浸透により第一粘着層２０及び第二粘着層２４に影響が生じる範囲を狭める（第一粘着層２０及び第二粘着層２４の外周部側に留める）ことができる。
【００２９】
また、本実施形態に係るＲＦＩＤタグ１０は、ゴム被覆材２８を有しており、このゴム被覆材２８は、基材１２、アンテナパターン１４、ＩＣチップ１６等を有するタグ本体３０を包囲している。したがって、第一粘着層２０及び第二粘着層２４の外周部から液体が第一粘着層２０及び第二粘着層２４の内側へ浸透することをゴム被覆材２８によってより一層効果的に抑止することができる。
【００３０】
また、タグ本体３０は、ゴム被覆材２８に包囲されている。したがって、例えばＲＦＩＤタグ１０が二つ折りに折り曲げられた場合でも、この二つ折りに折り曲げられたＲＦＩＤタグ１０の内側でゴム被覆材２８のゴム層同士が干渉する。これにより、タグ本体３０の曲率半径が一定以下になることを抑制することができるので、第一封止部３２及び第二封止部３４の破損を抑制することができる。
【００３１】
なお、ＲＦＩＤタグ１０の使用時にＲＦＩＤタグ１０に繰り返し応力が作用すると、ゴム被覆材２８に破れや亀裂等の損傷部位が生じ、この損傷部位から液体が浸入する虞がある。しかしながら、上述のように、第一ラミネートフィルム２２及び第二ラミネートフィルム２６には、第一封止部３２及び第二封止部３４が形成されている。したがって、ゴム被覆材２８に破れや亀裂等の損傷部位が生じても、第一粘着層２０及び第二粘着層２４の外周部から液体が第一粘着層２０及び第二粘着層２４の内側へ浸透することを抑止することができる。
【００３２】
次に、本実施形態の変形例について説明する。
【００３３】
上記実施形態において、第一封止部３２及び第二封止部３４は、平面視で互いに重複する位置、すなわち、平面視で同じ形状及び大きさで且つ同じ位置に形成されている。しかしながら、第一封止部３２及び第二封止部３４は、互いに異なる形状で且つ異なる位置に形成されていても良い。
【００３４】
例えば、図２に示される例において、第一封止部３２は、平面視で第二封止部３４の外側に形成されている。また、図３に示される例において、第一封止部３２は、平面視で第二封止部３４の内側に形成されている。
【００３５】
このように、平面視で第一封止部３２及び第二封止部３４の位置がずれていると、第一封止部３２及び第二封止部３４が平面視で互いに重複する位置に形成された場合に比して、第一封止部３２及び第二封止部３４によって曲げ剛性が高められた範囲が拡がる。これにより、ＲＦＩＤタグ１０の曲げ剛性を高めることができ、ひいては、アンテナパターン１４やＩＣチップ１６の折れを抑制することができる。
【００３６】
また、上記実施形態において、基材１２の表側には、第一ラミネートフィルム２２が一重に設けられている。しかしながら、図４に示されるように、基材１２の表側には、第一ラミネートフィルム２２が二重に設けられていても良い。なお、図４に示される例において、二重の第一ラミネートフィルム２２及びこれに付随する二重の第一粘着層２０及び二重の第一封止部３２をそれぞれ区別する場合には、各符号の末尾に識別符号を「１」、「２」を付与することとする。
【００３７】
この図４に示される例において、外側の第一粘着層２０−２及び外側の第一ラミネートフィルム２２−２は、平面視で内側の第一粘着層２０−１及び内側の第一ラミネートフィルム２２−１よりも大きく形成されている。この外側の第一粘着層２０−２及び外側の第一ラミネートフィルム２２−２は、平面視で基材１２と同様の形状及び大きさを有している。
【００３８】
また、外側の第一粘着層２０−２は、内側の第一ラミネートフィルム２２−１及び基材１２を覆っている。この外側の第一ラミネートフィルム２２−２は、外側の第一粘着層２０−２を介して内側の第一ラミネートフィルム２２−１及び基材１２に接着されている。この外側の第一粘着層２０−２及び外側の第一ラミネートフィルム２２−２は、内側の第一粘着層２０−１及び内側の第一ラミネートフィルム２２−１とそれぞれ同様の材料で形成される。
【００３９】
また、外側の第一ラミネートフィルム２２−２の外周部側は、内側の第一ラミネートフィルム２２−１よりも外側にはみ出している。この第一ラミネートフィルム２２の外周部側には、内側の第一封止部３２−１と同様の形状の外側の第一封止部３２−２が形成されている。
【００４０】
つまり、外側の第一封止部３２−２は、外側の第一ラミネートフィルム２２−２の一部が基材１２に溶着されることにより形成されている。具体的には、外側の第一封止部３２−２は、外側の第一ラミネートフィルム２２−２の一部が基材１２側に凸を成すように変形されて形成されている。また、この基材１２側に凸を成す第一封止部３２の先端部は、内側の第一ラミネートフィルム２２−１の外側において、基材１２の表面に接合されている。
【００４１】
また、外側の第一封止部３２−２は、第一粘着層２０の外周部に沿って形成されている。この外側の第一封止部３２−２は、平面視で内側の第一粘着層２０−１及び第一ラミネートフィルム２２−１を囲う環状を成しており、且つ、平面視で内側の第一封止部３２−１の外側に形成されている。
【００４２】
なお、内側の第一粘着層２０−１は、「内側粘着層」の一例であり、内側の第一ラミネートフィルム２２−１は、「内側ラミネートフィルム」の一例であり、内側の第一封止部３２−１は、「内側封止部」の一例である。また、外側の第一粘着層２０−２は、「外側粘着層」の一例であり、外側の第一ラミネートフィルム２２−２は、「外側ラミネートフィルム」の一例であり、外側の第一封止部３２−２は、「外側封止部」の一例である。
【００４３】
このように、基材１２の表側に二重の第一ラミネートフィルム２２が設けられ、且つ、二重の第一ラミネートフィルム２２に第一封止部３２がそれぞれ形成されていると、封止構造を二重にすることができる。これにより、液体が第一粘着層２０を通じてアンテナパターン１４やＩＣチップ１６に到達することをより一層効果的に抑止することができる。
【００４４】
なお、本例において、基材１２の表側には、二重の第一ラミネートフィルム２２が設けられているが、基材１２の表側には、三重以上の第一ラミネートフィルム２２が設けられていても良い。
【００４５】
また、本例において、基材１２の裏側は、一重の第二ラミネートフィルム２６が設けられているが、基材１２の裏側にも、二重以上の第二ラミネートフィルム２６が設けられても良い。
【００４６】
また、上記実施形態では、基材１２の裏側に第二粘着層２４及び第二ラミネートフィルム２６が設けられている。しかしながら、図５に示されるように、基材１２の裏側から上述の第二粘着層２４及び第二ラミネートフィルム２６（図１等参照）が省かれても良い。このように構成されていると、ＲＦＩＤタグ１０の構造を簡素化することができる。
【００４７】
また、上記実施形態において、第一封止部３２及び第二封止部３４は、平面視で四角形を成しており、第一封止部３２及び第二封止部３４の各辺部は、直線状に形成されている。しかしながら、図６に示されるように、第一封止部３２及び第二封止部３４の各長辺部には、屈曲部３６がそれぞれ形成されていても良い。各屈曲部３６は、基材１２の幅方向中央側に凸を成すように平面視でＶ字状を成している。また、各屈曲部３６は、ＩＣチップ１６及び接着材１８に対して基材１２の長さ方向にずれて位置している。
【００４８】
ＩＣチップ１６及び接着材１８に対して基材１２の長さ方向一方側にずれて形成された一対の屈曲部３６は、互いに基材１２の幅方向に対向する位置（基材１２の長さ方向の同じ位置）に形成されている。同様に、ＩＣチップ１６及び接着材１８に対して基材１２の長さ方向他方側にずれて形成された一対の屈曲部３６は、互いに基材１２の幅方向に対向する位置に形成されている。第一封止部３２に係止された屈曲部３６と、第二封止部３４に形成された屈曲部３６は、平面視で同じ形状及び位置に形成されている。
【００４９】
このように、図６に示される例では、第一封止部３２及び第二封止部３４に屈曲部３６が形成され、且つ、この屈曲部３６がＩＣチップ１６及び接着材１８に対して基材１２の長さ方向にずれて位置している。したがって、ＲＦＩＤタグ１０に曲げ力が作用した場合でも、屈曲部３６を起点にＲＦＩＤタグ１０が折れ曲がり易くなる。これにより、ＩＣチップ１６及び接着材１８とアンテナパターン１４との境界部を起点にＲＦＩＤタグ１０が折れ曲がることを抑制でき、ひいては、アンテナパターン１４の断線を抑制することができる。
【００５０】
なお、図６に示される例では、第一封止部３２及び第二封止部３４に平面視でＶ字状の屈曲部３６が形成されているが、屈曲部３６の代わりに、図７に示されるように、第一封止部３２及び第二封止部３４に平面視で円弧状の湾曲部３８が形成されていても良い。このように構成されていても、ＲＦＩＤタグ１０に曲げ力が作用した場合には、湾曲部３８を起点にＲＦＩＤタグ１０を折れ曲がり易くすることができる。
【００５１】
また、図８に示されるように、第一封止部３２及び第二封止部３４は、平面視で波形に形成されていても良い。この図８に示される例において、第一封止部３２及び第二封止部３４は、平面視で同じ形状の波形に形成されているが、第一封止部３２及び第二封止部３４は、平面視で異なる形状の波形に形成されていても良い。
【００５２】
このように、図８に示される例では、第一封止部３２及び第二封止部３４が平面視で波形に形成されている。したがって、例えば、第一封止部３２及び第二封止部３４の各辺部が直線状に形成された場合に比して、第一封止部３２及び第二封止部３４によって補強された部位を拡げることができる。これにより、ＲＦＩＤタグ１０の曲げ剛性を向上させることができる。
【００５３】
また、上記実施形態において、第一ラミネートフィルム２２及び第二ラミネートフィルム２６には、第一封止部３２及び第二封止部３４が一重に形成されている。しかしながら、図９に示されるように、第一ラミネートフィルム２２及び第二ラミネートフィルム２６には、第一封止部３２及び第二封止部３４がそれぞれ二重に形成されていても良い。また、第一ラミネートフィルム２２及び第二ラミネートフィルム２６には、第一封止部３２及び第二封止部３４がそれぞれ三重以上に形成されていても良い。このように構成されていると、多重環状を成す第一封止部３２及び第二封止部３４による封止性を向上させることができる。
【００５４】
また、図１０に示されるように、第一ラミネートフィルム２２及び第二ラミネートフィルム２６には、複数の第一封止部３２を繋ぐ第一連結部４０、及び、複数の第二封止部３４を繋ぐ第二連結部４２がそれぞれ形成されても良い。第一連結部４０は、「連結部」の一例である。この第一連結部４０及び第二連結部４２も、第一封止部３２及び第二封止部３４と同様に、第一ラミネートフィルム２２及び第二ラミネートフィルム２６の一部が基材１２に溶着されて形成されている。このように構成されていると、第一封止部３２及び第二封止部３４による封止性をより向上させることができると共に、ＲＦＩＤタグ１０の曲げ剛性を高めることができる。
【００５５】
また、上記実施形態において、アンテナパターン１４は、直線状に延びている。しかしながら、図１１に示されるように、アンテナパターン１４は、屈曲して形成されていても良い。また、この場合に、第一封止部３２及び第二封止部３４は、アンテナパターン１４に沿って屈曲して形成されていても良い。
【００５６】
また、アンテナパターン１４は、湾曲して形成されていても良く、この場合に、第一封止部３２及び第二封止部３４は、アンテナパターン１４に沿って湾曲して形成されていても良い。
【００５７】
また、上記実施形態において、ＲＦＩＤタグ１０は、平面視で長方形状に形成されているが、例えば、平面視で正方形状、円形状、楕円形状など、長方形状以外の形状に形成されていても良い。
【００５８】
なお、上記複数の変形例のうち、組み合わせ可能な変形例は、適宜、組み合わされて実施されても良い。
【００５９】
以上、本願の開示する技術の一実施形態について説明したが、本願の開示する技術は、上記に限定されるものでなく、上記以外にも、その主旨を逸脱しない範囲内において種々変形して実施可能であることは勿論である。
【００６０】
なお、上述の本願の開示する技術の一実施形態に関し、更に以下の付記を開示する。
【００６１】
（付記１）
シート状に形成されたプラスチック製の基材と、
前記基材に形成されたアンテナパターンと、
前記基材に搭載されると共に、前記アンテナパターンと接続されたＩＣチップと、
前記基材、前記アンテナパターン、及び、前記ＩＣチップを覆う粘着層と、
前記粘着層を介して前記基材に接着されたプラスチック製のラミネートフィルムと、
前記ラミネートフィルムの一部が前記基材に溶着されて形成され、平面視で前記アンテナパターン及びＩＣチップを囲う環状の封止部と、
を備えるＲＦＩＤタグ。
（付記２）
前記基材、前記アンテナパターン、前記ＩＣチップ、前記粘着層、前記ラミネートフィルム、前記封止部は、タグ本体を形成し、
前記タグ本体を包囲するゴム被覆材をさらに備える、
付記１に記載のＲＦＩＤタグ。
（付記３）
前記封止部は、前記粘着層の外周部に沿って形成されている、
付記１又は付記２に記載のＲＦＩＤタグ。
（付記４）
前記粘着層としての第一粘着層と、
前記ラミネートフィルムとしての第一ラミネートフィルムと、
前記封止部としての第一封止部と、
前記第一粘着層と反対側から前記基材を覆う第二粘着層と、
前記第二粘着層を介して前記基材に接着されたプラスチック製の第二ラミネートフィルムと、
前記第二ラミネートフィルムの一部が前記基材に溶着されて形成された環状の第二封止部と、
を備える、
付記１〜付記３のいずれか一項に記載のＲＦＩＤタグ。
（付記５）
前記第一封止部及び前記第二封止部は、平面視で互いに重複する位置に形成されている、
付記４に記載のＲＦＩＤタグ。
（付記６）
前記第一封止部は、平面視で前記第二封止部の外側に形成されている、
付記４に記載のＲＦＩＤタグ。
（付記７）
前記第一封止部は、平面視で前記第二封止部の内側に形成されている、
付記４に記載のＲＦＩＤタグ。
（付記８）
前記粘着層としての内側粘着層と、
前記ラミネートフィルムとしての内側ラミネートフィルムと、
前記封止部としての内側封止部と、
前記内側ラミネートフィルム及び前記基材を覆う外側粘着層と、
前記外側粘着層を介して前記内側ラミネートフィルム及び前記基材に接着されたプラスチック製の外側ラミネートフィルムと、
前記外側ラミネートフィルムの一部が前記内側ラミネートフィルムに溶着されて形成され、平面視で前記内側粘着層及び前記内側ラミネートフィルムを囲う環状の外側封止部と、
を備える、
付記１〜付記７のいずれか一項に記載のＲＦＩＤタグ。
（付記９）
前記ＩＣチップは、接着材を介して前記基材に接着され、
前記封止部には、前記接着材に対して前記基材の長さ方向にずれて位置し、平面視でＶ字状を成す屈曲部が形成されている、
付記１〜付記８のいずれか一項に記載のＲＦＩＤタグ。
（付記１０）
前記ＩＣチップは、接着材を介して前記基材に接着され、
前記封止部には、前記ＩＣチップ及び前記接着材に対して前記基材の長さ方向にずれて位置し、平面視で円弧状を成す湾曲部が形成されている、
付記１〜付記８のいずれか一項に記載のＲＦＩＤタグ。
（付記１１）
前記封止部は、平面視で波形に形成されている、
付記１〜付記１０のいずれか一項に記載のＲＦＩＤタグ。
（付記１２）
多重環状を成す複数の前記封止部を備える、
付記１〜付記１１のいずれか一項に記載のＲＦＩＤタグ。
（付記１３）
前記ラミネートフィルムの一部が前記基材に溶着されて形成され、複数の前記封止部を繋ぐ連結部を備える、
付記１２に記載のＲＦＩＤタグ。
【符号の説明】
【００６２】
１０  ＲＦＩＤタグ
１２  基材
１４  アンテナパターン
１６  ＩＣチップ
１８  接着材
２０  第一粘着層（粘着層の一例）
２２  第一ラミネートフィルム（ラミネートフィルムの一例）
２４  第二粘着層
２６  第二ラミネートフィルム
２８  ゴム被覆材
３０  タグ本体
３２  第一封止部（封止部の一例）
３４  第二封止部
３６  屈曲部
３８  湾曲部
４０  第一連結部（連結部の一例）
４２  第二連結部
【図１】
2018205867.tif 000003
【図２】
2018205867.tif 000004
【図３】
2018205867.tif 000005
【図４】
2018205867.tif 000006
【図５】
2018205867.tif 000007
【図６】
2018205867.tif 000008
【図７】
2018205867.tif 000009
【図８】
2018205867.tif 000010
【図９】
2018205867.tif 000011
【図１０】
2018205867.tif 000012
【図１１】
2018205867.tif 000013